(57)【要約】【課題】  印画紙マガジンを備え、かつ、印画紙に露光を行う主筐体と、印画紙マガジンを備えた副筐体とをできるだけ精度高く連結する連結構造を構成する。【解決手段】  主筐体１０の外壁体３４の部位に嵌合孔を有した被連結体５０を備え、副筐体４０の外壁体４４に位置決めピンを有した連結体５５を備え、この被連結体５０を主筐体１０の内部の印画紙搬送ユニットを基準にして取り付けてあり、被連結体５０の嵌合孔に被連結体５５の位置決めピンを嵌合させた状態において、夫々をビスの締付けによって連結固定した。【選択図】        図２
2005249925.tif 000002
【特許請求の範囲】
【請求項１】
暗箱構造の主筐体の内部に長尺の感光材料を収容するマガジンと、このマガジンからの感光材料を露光部に送る主搬送部とを備えてプリント装置を構成すると共に、長尺の感光材料を収容するマガジンと、このマガジンからの感光材料を送り出す副搬送部とを備えた暗箱構造の副筐体を前記筐体の外部に連結するプリント装置の連結構造であって、
前記主筐体の外壁部に前記主搬送部を基準にして取り付けられる位置決め用の被連結体を備え、この被連結体に対して位置決め手段を介して連結する連結体を前記副筐体の外壁部に備え、前記被連結体は前記主筐体に対して位置調節自在に構成されているプリント装置の連結構造。
【請求項２】
前記位置決め手段が、前記被連結体に形成した嵌合孔と、この嵌合孔に嵌合するよう前記連結体に形成した位置決めピンとで構成され、前記被連結体と前記連結体との位置決め面同士を接触させる状態で主筐体と副筐体とを連結するネジ体を備えている請求項１記載のプリント装置の連結構造。
【請求項３】
前記被連結体は前記主筐体内部の前記主搬送部を基準とする第１治具を用いて取付け位置を設定し、前記連結体は前記副搬送部を基準とする第２治具を用いて取付け位置を設定している請求項１又は２記載のプリント装置の連結構造。
【請求項４】
前記主筐体の内部のフレームに対して位置調節自在に補助フレームを取付け、この補助フレームに対して位置調節自在に複数の前記被連結体を取り付けている請求項１〜３のいずれか１項に記載のプリント装置の連結構造。
【発明の詳細な説明】
【技術分野】
【０００１】
本発明は、暗箱構造の主筐体の内部に長尺の感光材料を収容するマガジンと、このマガジンからの感光材料を露光部に送る主搬送部とを備えてプリント装置を構成すると共に、長尺の感光材料を収容するマガジンと、マガジンからの感光材料を送り出す副搬送部とを備えた暗箱構造の副筐体を前記筐体の外部に連結するプリント装置の連結構造に関する。
【背景技術】
【０００２】
暗箱構造の主筐体の内部に長尺の感光材料を収容するマガジンと、このマガジンからの感光材料を露光部に送る主搬送部とを備えてプリント装置と関連する技術として、特許文献１と特許文献２とに示されるものが存在する。特許文献１には、２つの印画紙マガジンのいずれか一方から選択的に引き出した印画紙（本発明の感光材料）をデジタルプリント部において露光する構成が記載されており、特許文献２には、画像記録装置として、記録装置本体と、この記録装置本体に対して感光材料を供給する感光材料供給ユニットとを備えており、この感光材料供給ユニットは複数のマガジンを収容し、その接合部を装置本体の装着部に対して接合する状態、及び、分離する状態との切り換え自在な構成が記載されている。
【０００３】
【特許文献１】特開平２００１‐１００３１９号公報  （段落番号〔００２４〕、図４、図５）
【特許文献２】特開平１１‐７１１７号公報  （段落番号〔００１２〕〜〔００４１〕、図１、図２）
【発明の開示】
【発明が解決しようとする課題】
【０００４】
上記のように構成されたプリント装置では、複数のマガジン夫々に対して異なる幅の感光材料や、異なる表面（光沢紙や半光沢紙等）の感光材料を収容しておくことにより、顧客の幅広い要望に対応できるものとなる。このことを考えると、顧客の幅広い要望に即座に対応するためプリント装置には、できるだけ多くのマガジンを備えることが望ましい。特に、特許文献１に記載される技術のように、暗箱構造の筐体の内部にマガジンを備えるものではマガジンを交換する際には、筐体内部の感光材料の処理を終了した後に装置の扉を開放しなければならないため、マガジンを交換する際に時間を要し手間が掛かるものとなっており、このような不都合を解消する観点からも多くのマガジンを備えるプリント装置が望まれていた。
【０００５】
しかしながら、多くのマガジンを備えるものでは装置の大型化に繋がるばかりでなく装置の設置面積が大きくなるものであり、ＤＰ店の規模等を考慮すると現実的ではない。そこで、特許文献１に示されるように筐体の内部に２つ程度のマガジンをセットしたものを基本的な構成とし、更に、オプションとして装置の外部にマガジンをセットできるよう構成することも望まれていた。
【０００６】
具体的な例として、主筐体の外部オプションとして副筐体を連結し、この副筐体に備えたマガジンからの感光材料を主筐体の内部に適正に導き、露光部まで搬送するものを考えることができるが、このような構成を採用した場合には主筐体と副筐体とを精度高く連結する必要がある。そこで、特許文献２に記載された技術を用いることも考えられるが、この特許文献２では記録装置本体と感光材料供給ユニットとの嵌合によって位置を決めていることから必要とする精度を求めるためには嵌合部位に極めて高い精度が要求されるものとなり、オプションとして連結するための技術としては適当でなかった。特に、特許文献２のように嵌合によって位置を決めるものであっても、組立時には嵌合部とマガジンや感光材料の搬送経路との間に相対的な誤差を生ずるものであり、この誤差を吸収する構造を必要とするものとなる。
【０００７】
本発明の目的は、主筐体と副筐体とをできるだけ精度高く連結し得る連結構造を合理的に構成する点にある。
【課題を解決するための手段】
【０００８】
本発明の特徴は、暗箱構造の主筐体の内部に長尺の感光材料を収容するマガジンと、このマガジンからの感光材料を露光部に送る主搬送部とを備えてプリント装置を構成すると共に、長尺の感光材料を収容するマガジンと、このマガジンからの感光材料を送り出す副搬送部とを備えた暗箱構造の副筐体を前記筐体の外部に連結するプリント装置の連結構造において、
前記主筐体の外壁部に前記主搬送部を基準にして取り付けられる位置決め用の被連結体を備え、この被連結体に対して位置決め手段を介して連結する連結体を前記副筐体の外壁部に備え、前記被連結体は前記主筐体に対して位置調節自在に構成されている点にある。
【０００９】
この構成によると、被連結体は、主筐体に対して位置調節自在に構成されているので、この被連結体を主筐体内部の主搬送部に対して所定の精度で取り付け、固定することが可能となる。そして、主筐体の外壁部に副筐体を連結する際には、主筐体に備えた被連結体に対して副筐体の外壁部に備えた連結部を連結することで位置決め手段が相対的な位置を決めるものとなり、主筐体に対して副筐体を必要とする精度で連結することが可能となる。その結果、副筐体に備えたマガジンからの感光材料を副搬送部から主筐体の主搬送部に適正に送り、この主搬送部によって露光部に送り込むことを可能にする連結構造が構成された。
【００１０】
本発明は、前記位置決め手段が、前記被連結体に形成した嵌合孔と、この嵌合孔に嵌合するよう前記連結体に形成した位置決めピンとで構成され、前記被連結体と前記連結体との位置決め面同士を接触させる状態で主筐体と副筐体とを連結するネジ体を備えても良い。
【００１１】
この構成により、主筐体と副筐体とを連結する際には、被連結体に形成された嵌合孔に対して連結体の位置決めピンを嵌合させることにより、位置決めピンと直交する方向での主筐体と副筐体との位置関係が決まり、主筐体と副筐体とをネジ体で連結することにより被連結体と連結体との連結面同士が接触することにより、この連結面と直交する方向で主筐体と副筐体との位置関係が決まるものとなり、大型の嵌合構造を採用しなくとも夫々を高い精度で連結できる。
【００１２】
本発明では、前記被連結体は前記主筐体内部の前記主搬送部を基準とする第１治具を用いて取付け位置を設定し、前記連結体は前記副搬送部を基準とする第２治具を用いて取付け位置を設定しても良い。
【００１３】
この構成により、被連結体を主筐体の外壁部に固定する際には第１治具を用い、連結体を副筐体の外壁部に固定する際には第２治具を用いることにより、相対的な位置関係を計測する等の作業を行わずとも、手間を掛けずに短時間のうちに被連結体と連結体とを必要とする位置に精度高く固定できるものとなる。
【００１４】
本発明は、前記主筐体の内部のフレームに対して位置調節自在に補助フレームを取付け、この補助フレームに対して位置調節自在に複数の前記被連結体を取り付けて良い。
【００１５】
主筐体では、主搬送部と筐体の外壁部との相対的な位置が誤差の範囲内に収まるため、筐体の外壁部に複数の被連結体を取付ける際にも、複数の被連結体と外壁部との相対的な位置関係は決まった傾向となる。従って、主筐体の内部にフレームに補助フレームを取付ける際に、適正な位置にセットすることにより、この補助フレームに取付ける複数の被連結体の調節量を少なくすることが可能となり、取付け時の手間を省けるものとなる。
【発明を実施するための最良の形態】
【００１６】
以下、本発明の実施形態を図面に基づいて説明する。
図１に示すように、感光材料としての銀塩印画紙Ｐ（以下、印画紙Ｐと称する）に対して露光を行う露光ブロックＥｘと、この露光ブロックＥｘで露光された印画紙Ｐの現像処理を行う現像ブロックＤｅと、現像処理後の印画紙Ｐを乾燥する乾燥ブロックＤｒとを暗箱構造の主筐体１０に収納すると共に、主筐体１０の上部から送り出される処理後の印画紙Ｐを搬送ベルト１１で受け取ってソータ１２に送り、このソータ１２に備えた複数のトレイ１２Ａに対してオーダ単位で仕分けて集積する写真プリント装置が構成されている。この写真プリント装置はデジタルミニラボと称せられるものであり、図面には示していないが、写真フィルムのコマ画像をフィルムスキャナによって光電変換することにより取り込んだ画像情報、あるいは、デジタルカメラで撮影した画像情報を該写真プリント装置に伝送することにより、その画像情報を露光ブロックＥｘにおいて印画紙Ｐに露光し、更に現像処理を行うように構成されたものである。
【００１７】
この写真プリント装置では、図３に示すように、主筐体１０の内部に長尺の印画紙Ｐをロール状に収容した２つの印画紙マガジンＭを備えると共に、主筐体１０に連結した暗箱構造の副筐体４０の内部に前記印画紙マガジンＭと同様の構造の１つの印画紙マガジンＭを備えている。そして、前記露光ブロックＥｘでは、３つ印画紙マガジンＭのうちの何れか１つから引き出した印画紙Ｐを供給ユニットＵ１（主搬送部の一例）でプリントサイズに切断して上方に搬送し、この供給ユニットＵ１からの印画紙Ｐを露光搬送ユニットＵ２（露光部の一例）において鉛直姿勢となる搬送経路を下方から上方に搬送しながら画像情報の露光を行い、この露光搬送ユニットＵ２から上方に送られる印画紙Ｐを前部搬送ユニットＵ３において搬送方向を水平方向に変換した後、振分ユニットＵ４で水平方向に送り、この後、後部搬送ユニットＵ５から前記現像ブロックＤｅに受け渡すよう印画紙Ｐの搬送系が構成されている。
【００１８】
〔印画紙の搬送形態〕前記供給ユニットＵ１では、主筐体の２つの印画紙マガジンＭ、Ｍの一方から引き出した印画紙Ｐをガイド体１３で圧着型のアドバンスローラ１４に送り出す搬送系、及び、前記副筐体４０からの印画紙Ｐをガイド体１５で圧着型のアドバンスローラ１６に送り出す搬送系を備えており、何れかのアドバンスローラ１４、１６からの印画紙Ｐをカッター１７でプリントサイズに切断し、このように切断された印画紙Ｐの裏面側にドットインパクト型の印字ヘッド１８によって必要な情報をプリントし、この後、圧着搬送体１９によって印画紙Ｐを挟持し、単列で前記露光搬送ユニットＵ２に送り込む。また、副筐体４０の内部には印画紙マガジンＭからの印画紙Ｐを案内するガイド体４８（副搬送部の一例）を備えている。
【００１９】
前記露光搬送ユニットＵ２では、前記圧着搬送体１９からの印画紙Ｐを、圧着状態と開放状態とに切り換え自在な導入ローラ２０で受け取り、更に、圧着状態と開放状態とに切り換え自在な一対の搬送ローラ２１、２１で上方（副走査方向）に搬送しながら、この搬送速度と同期して露光エンジン２２からのレーザビームで主走査方向（水平方向）に露光を行うよう構成されている。
【００２０】
前記露光エンジン２２は、ケーシングの内部に収納したＲ（赤）、Ｇ（緑）、Ｂ（青）の三原色のレーザ光源からの光線を音響光学式の変調手段によって光量を調節した後、縦軸芯で回転するポリゴンミラーのミラー面で反射させることにより主走査方向に走査する状態で前記露光位置に送り出す構造のものが使用されている。尚、この露光エンジン２２として液晶シャッター方式やＤＭＤ方式の使用が可能である。
【００２１】
前部搬送ユニットＵ３では、前記露光搬送ユニットＵ２から送り出される印画紙Ｐを圧着状態と開放状態とに切り換え自在な複数の搬送ローラ２４によって湾曲搬送経路に送り、下方から送られる印画紙Ｐの搬送方向を水平方向に変換して送り出すよう構成されている。前記振分ユニットＵ４では、前部ローラユニットＵ３の供給経路Ｆの供給位置に達した印画紙Ｐを２つのチャッカーＣＨの作動によって予め設定された２つの振り分け経路（図示せず）に振り分けるよう構成されている。後部ローラユニットＵ５では、前記チャッカーＣＨからの印画紙Ｐを圧着型の受け入れローラ２５で受け入れ、複数の圧着ローラ２６で斜め下方に搬送して、前記現像ブロックＤｅの現像処理槽２７に備えた導入ローラ２８に受け渡すように構成されている。
【００２２】
前記現像ブロックＤｅは前記現像処理槽２７と、この現像処理槽２７に対して印画紙Ｐを搬送する搬送機構と備えて構成され、前記乾燥ブロックＤｒは、印画紙Ｐに対して加熱空気を供給するブロア２９を備えている。
【００２３】
このように構成された写真プリント装置の構成は従来からのものと基本的に異なるものではなく、本発明の写真プリントでは主筐体１０に対して副筐体４０連結する構造に特徴を有するものである。
【００２４】
〔主筐体の構造〕図１〜図７に示すように、前記主筐体１０を構成する露光ブロックＥｘは底壁３１に立設した柱状の複数の縦フレーム３２と、これらの縦フレーム３２を溶接によって連結する複数の横フレーム３３とを備えると共に、縦フレーム３２と横フレーム３３とに連結する状態で側部と背部とに金属板材で成る外壁体３４（外壁部の一例）を備え、前面に開閉自在な一対の扉３５、３６を備え、これらの上部に開閉自在な蓋体３７を備えている。尚、主筐体１０は、露光ブロックＥｘが独立に組み立てられた後、現像ブロックＤｅと乾燥ブロックＤｒと連結することにより一体化する。
【００２５】
前記主筐体１０の側部の外壁体３４には、印画紙Ｐが通過する通過孔３４Ａが形成され、この通過孔３４Ａの上下位置に一対の開口３４Ｂを形成し、これら４つの開口３４Ｂ夫々の内部に金属で成るブロック状の被連結体５０を備えている。具体的には、主筐体１０の側部の横フレーム３３の上面に対して補助フレーム３８を複数のビス３９を用いて位置調節自在に取付け、この補助フレーム３８に２つの被連結体５０をビス５１を用いて位置調節自在に取付けている。前記被連結体５０には位置決め面として連結面５０Ｓを形成してあり、この連結面５０Ｓと直交する姿勢の嵌合孔５０Ｔと、前記ビス５１が挿通する挿通孔５０Ｕと、連結用のネジ体としてのビス６０が挿通する貫通孔５０Ｈとが形成されている。
【００２６】
前記横フレーム３３の上面には前記ビス３９が螺合するネジ孔３３Ａを形成し、補助フレーム３８にはビス３９の直径より充分に大きい直径となるビス挿通用の挿通孔３９Ａを形成してあり、この挿通孔３９Ａの内部でビス３９が相対的に移動できる範囲内で横フレーム３３に対する補助フレーム３８の取付位置を調節できるように構成している。また、この補助フレーム３８には前記ビス５１が螺合するネジ孔３８Ａを形成し、被連結体５０にはビス５１の直径より充分に大きい直径となるよう前記挿通孔５０Ｕを形成してあり、この挿通孔５０Ｕの内部でビス５１が相対移動できる範囲内で補助フレーム３８に対する被連結体５０の取付け位置を調節できるように構成している。更に、補助フレーム３８には前記ビス６０が螺合するネジ孔３８Ｂを形成している。そして、この被連結体５０を取付ける際には、主筐体１０の内部の印画紙Ｐの供給ユニットＵ１（主搬送部の一例）を基準にして該被連結体５０の位置を決めるように第１治具（図示せず）を用いて取付けている。
【００２７】
この第１治具としては、接当部と位置決め部とを一体化した構造のものを想定しており、被連結体５０の位置を決める場合には、前記供給ユニットＵ１（例えば、ガイド体１５）における複数箇所に接当部を接触させることで第１治具全体の姿勢を決め、この状態で位置決め部材を前記被連結体５０の嵌合孔５０Ｔ等に接触させる形態で使用することになる。
【００２８】
〔副筐体の構造〕図１〜図７に示すように、前記副筐体４０は底壁４１に立設した柱状の複数の縦フレーム４２と、これらの縦フレーム４２を溶接によって連結する複数の横フレーム４３とを備えると共に、これら縦フレーム４２と横フレーム４３とに連結する状態で側部と背部と上部とに金属板材で成る外壁体４４（外壁部の一例）を備え、前面に開閉自在な扉４５を備えている。
【００２９】
前記副筐体４０の側部の外壁体４４のうち、露光ブロックＥｘに対向する側の外壁体４４には、印画紙Ｐが通過する通過孔４４Ａが形成され、この通過孔４４Ａの上下位置の外壁体４４の外面に金属で成るブロック状の一対の連結体５５を取付けている。具体的には、外壁体４４には連結用のビス５６が挿通する挿通孔４４Ｂと、前記連結用のビス６０が挿通する貫通孔４４Ｈとが形成され、副筐体４０の内部側から挿通孔４４Ｂに挿通するビス５６を連結体５５に螺合させて位置調節自在に取付けている。前記連結体５５には位置決め面として連結面５５Ｓを形成してあり、この連結面５５Ｓと直交する姿勢で突出する位置決めピン５７と、前記取付け用のビス５６が螺合するネジ孔５５Ｔと、前記連結用のビス６０が挿通する貫通孔５５Ｈとが形成されている。
【００３０】
前記挿通孔４４Ｂは前記ビス５６の直径より充分に大きい直径であり、この挿通孔４４Ｂの内部でビス５６が相対的に移動できる範囲内で外壁体４４に対して連結体５５の取付位置を調節できるように構成している。そして、この連結体５５を取付ける際には、副筐体４０の内部で印画紙Ｐを搬送するガイド体４８（副搬送部の一例）を基準にして該連結体５５の位置を決めるように第２治具（図示せず）を用いて取付けている。
【００３１】
この第２治具としては、前述したものと同様に接当部と位置決め部とを一体化した構造のものを想定しており、連結体５５の位置を決める場合には、ガイド体４８における複数箇所に接当部を接触させることで第２治具全体の姿勢を決め、この状態で位置決め部材を前記連結体５５の位置決めピン５７等に接触させる形態で使用することになる。尚、本発明では第１治具と第２治具とを別個にものとして説明したが、第１治具と第２治具とを兼用可能に構成して、このように兼用化した治具を用いて被連結体５０と連結体５５との取り付けを行っても良い。
【００３２】
尚、前記被連結体５０に形成された貫通孔５０Ｈと、前記被連結体５５に形成された貫通孔５５Ｈと、前記副筐体４０の外壁体４４に形成された貫通孔４４Ｈとは、前記被連結体５０、連結体５５夫々の相対的な位置関係に拘わらず前記ビス６０が挿通できるようにビス６０の直径より充分に大きい直径の孔となるように構成されている。
【００３３】
〔連結構造〕前記被連結体５０の嵌合孔５０Ｔと前記連結体５５の位置決めピン５７とで位置決め手段が構成され、このような位置決め手段を具備した連結構造を備えているので、副筐体４０を主筐体１０に連結する際には、図８、図９に示すように、４つの被連結体５０の嵌合孔５０Ｔに対して対応する連結体５５の位置決めピン５７を嵌合させ、前記副筐体４０の内部から連結孔４４Ｃと、連結体５５の貫通孔５５Ｈと、被連結体５０の貫通孔５０Ｈとに連結用のビス６０を挿通し、前記補助フレーム３８のネジ孔３８Ａに螺合させ、このビス６０を締め付けることにより、被連結体５０と連結体５５との連結面５０Ｓ、５５Ｓ同士が密着する形態での連結が行われるのである。
【００３４】
尚、このように主筐体１０に対して副筐体４０を連結する際には、主筐体１０の外壁体３４と副筐体４０の外壁体４４との間にスポンジ材等の遮光材を挟み込むが、連結の後に連結面の外周にシール材を充填しても良い。また、図８に示す如く、被連結体５０を取付けるためのビス５１の頭部が嵌り込む凹部を連結体５５の連結面５５Ｓに形成しているが、被連結体５０の連結面５０Ｓに凹部を形成してビス５１の頭部を連結面５０Ｓに沈み込ませるように構成しても良い。
【００３５】
このように、被連結体５０の嵌合孔５０Ｔに連結体５５の位置決めピン５７を嵌合させ、被連結体５０と連結体５５との連結面５０Ｓ、５５Ｓ同士を接触させた状態で連結することにより、副筐体４０に備えたガイド体４８と、主筐体１０に備えたガイド体１５とが印画紙Ｐを直線的に搬送するに最適な位置関係となり、副筐体４０の内部に収納された印画紙マガジンＭからの印画紙Ｐをガイド体４８から、主筐体１０の内部のガイド体１５に精度良く受け渡し、印画紙Ｐを蛇行させることや、印画紙Ｐの幅方向での中心位置を狂わせる等の不都合を招くことなく精度の良い露光が実現するのである。
【００３６】
〔別実施の形態〕
本発明は、上記した実施の形態以外に以下のように構成しても良い。
【００３７】
（イ）位置決め手段として、被連結体に位置決めピンを形成し、連結体に位置決め孔を形成することや、位置決め手段として被連結体の連結面に凹凸面形成し、連結体の連結面に凹凸面を形成し、夫々の凹凸面同士を嵌合させることにより被連結体と連結体とを位置決めすることが考えられる。
【００３８】
（ロ）副筐体の内部に複数の印画紙マガジンを備えるように構成する。このように構成した場合には、顧客からの多くの要望に対応できるものとなる。
【図面の簡単な説明】
【００３９】
【図１】写真プリント装置の斜視図
【図２】分離状態の主筐体と副筐体を示す斜視図
【図３】写真プリント装置の縦断側面図
【図４】主筐体の分解斜視図
【図５】副筐体の分解斜視図
【図６】補助フレームと被連結体との取り付け構造を示す斜視図
【図７】被連結体と連結体との構造を示す分解斜視図
【図８】被連結体と連結体との分離状態と連結状態とを示す横断平面図
【図９】被連結体と連結体との分離状態と連結状態とを示す縦断側面図
【符号の説明】
【００４０】
１０          主筐体
３４          外壁体
３８          補助フレーム
４０          副筐体
４４          外壁体
４８          副搬送部
５０          被連結体
５０Ｓ        位置決め面
５０Ｔ        嵌合孔
５５          連結体
５５Ｓ        位置決め面
５７          位置決めピン
６０          ネジ体
Ｐ            感光材料
Ｍ            マガジン
Ｕ１          主搬送部
【図１】
2005249925.tif 000003
【図２】
2005249925.tif 000004
【図３】
2005249925.tif 000005
【図４】
2005249925.tif 000006
【図５】
2005249925.tif 000007
【図６】
2005249925.tif 000008
【図７】
2005249925.tif 000009
【図８】
2005249925.tif 000010
【図９】
2005249925.tif 000011